(57)【要約】【課題】  横引配管内にて停滞していた汚物に新たに流れ込んだ汚物が乗り上げてしまうことを抑制することが可能な水洗大便器を提供する。【解決手段】  ボウル部に洗浄水を吐水する吐水部と、使用者による洗浄動作に基づいて吐水部からの吐水を制御する制御部と、洗浄水を貯水するタンク部と、タンク部に洗浄水源から供給される洗浄水を吐水又は止水する給水弁と、給水弁を制御する制御部と、タンク部から吐水部へ洗浄水を排水又は止水する排水弁と、タンク部内の水位が止水水位より上昇した場合に排水弁を開閉せずにボウル部へ洗浄水を排水するオーバーフロー手段と、を備え、制御手段は、便器洗浄後に所定時間が経過した際、給水弁によりタンク部内へ洗浄水を供給し、オーバーフロー手段により前記ボウル部に洗浄水を吐水する水洗大便器。【選択図】  図１
2017048675.tif 000002
【特許請求の範囲】
【請求項１】
洗浄水源から供給される洗浄水により便器を洗浄して汚物を排出する水洗大便器であって、
ボウル形状の汚物受け面を有するボウル部と、このボウル部の下方に接続され汚物を排出する排水路と、前記ボウル部に洗浄水を吐水する吐水部と、使用者による洗浄動作に基づいて前記吐水部からの吐水を制御する制御部と、洗浄水を貯水するタンク部と、前記タンク部に洗浄水源から供給される洗浄水を吐水又は止水する給水弁と、前記給水弁を制御する制御部と、前記タンク部から前記吐水部へ洗浄水を排水又は止水する排水弁と、前記タンク部内の水位が止水水位より上昇した場合に前記排水弁を開閉せずにボウル部へ洗浄水を排水するオーバーフロー手段と、を備え、
前記制御手段は、便器洗浄後に所定時間が経過した際、前記給水弁により前記タンク部内へ洗浄水を供給し、前記オーバーフロー手段により前記ボウル部に洗浄水を吐水する水洗大便器。
【請求項２】
洗浄水源から供給される洗浄水により便器を洗浄して汚物を排出する水洗大便器であって、
ボウル形状の汚物受け面を有するボウル部と、
このボウル部の下方に接続され汚物を排出する排水路と、
前記ボウル部に洗浄水を吐水する吐水部と、
使用者の局部を洗浄するノズル及び前記ノズルを制御する制御部を有する衛生洗浄装置と、を備え、
前記制御部は、便器洗浄後に所定時間が経過した際、前記ノズルにより前記ボウル部に洗浄水を吐水する水洗大便器。
【発明の詳細な説明】
【技術分野】
【０００１】
本発明は、洗浄水源から供給される洗浄水により便器を洗浄して汚物を排出する水洗大便器に関する。
【背景技術】
【０００２】
水洗式大便器の使用回数又は使用時間の間隔をカウントし、所定のカウント値に達すると水洗式便器に便器洗浄水とは別に搬送用の水を供給する汚物搬送システムが知られている（例えば、特許文献１参照）。
【先行技術文献】
【特許文献】
【０００３】
【特許文献１】特許第４０９４７９７号公報
【発明の概要】
【発明が解決しようとする課題】
【０００４】
上述した汚物搬送システムにおいては、例えば、横引配管内に汚物が停滞した状態にて時間が経過することで、汚物とともに横引配管内に停滞していた洗浄水が無くなることが考えられる。汚物とともに横引配管内に停滞していた洗浄水が無くなった場合、その後、新たに汚物が横引配管内に流れ込むと、停滞していた汚物に新たに流れ込んだ汚物が乗り上げ、横引配管内が閉塞してしまう懸念があった。
【０００５】
本発明は、上述した問題を解決するためになされたものであり、横引配管内にて停滞していた汚物に新たに流れ込んだ汚物が乗り上げてしまうことを抑制することが可能な水洗大便器を提供することを目的とする。
【課題を解決するための手段】
【０００６】
本発明は、洗浄水源から供給される洗浄水により便器を洗浄して汚物を排出する水洗大便器であって、ボウル形状の汚物受け面を有するボウル部と、このボウル部の下方に接続され汚物を排出する排水路と、前記ボウル部に洗浄水を吐水する吐水部と、使用者による洗浄動作に基づいて前記吐水部からの吐水を制御する制御部と、洗浄水を貯水するタンク部と、前記タンク部に洗浄水源から供給される洗浄水を吐水又は止水する給水弁と、前記給水弁を制御する制御部と、前記タンク部から前記吐水部へ洗浄水を排水又は止水する排水弁と、前記タンク部内の水位が止水水位より上昇した場合に前記排水弁を開閉せずにボウル部へ洗浄水を排水するオーバーフロー手段と、を備え、前記制御手段は、便器洗浄後に所定時間が経過した際、前記給水弁により前記タンク部内へ洗浄水を供給し、前記オーバーフロー手段により前記ボウル部に洗浄水を吐水する水洗大便器である。
【０００７】
このように構成された本発明においては、制御部は、便器洗浄後に所定時間が経過した際、給水弁によりタンク部内へ洗浄水を供給し、オーバーフロー手段によりボウル部に洗浄水を吐水する。そのため、水洗大便器の使用時間間隔が開いて、横引配管内に汚物が停滞した状態にて時間が経過し、汚物とともに横引配管内に停滞していた洗浄水が少なくなってしまっても、オーバーフロー手段により、ボウル部を経て横引配管内に洗浄水が供給され、横引配管内に停滞する洗浄水を補充することができる。従って、停滞していた汚物に新たに流れ込んだ汚物が乗り上げ、横引配管内が閉塞してしまうことを抑制することができる。
【０００８】
また、本発明は、洗浄水源から供給される洗浄水により便器を洗浄して汚物を排出する水洗大便器であって、ボウル形状の汚物受け面を有するボウル部と、このボウル部の下方に接続され汚物を排出する排水路と、前記ボウル部に洗浄水を吐水する吐水部と、使用者の局部を洗浄するノズル及び前記ノズルを制御する制御部を有する衛生洗浄装置と、を備え、前記制御部は、便器洗浄後に所定時間が経過した際、前記ノズルにより前記ボウル部に洗浄水を吐水する水洗大便器である。
【０００９】
このように構成された本発明においては、制御部は、便器洗浄後に所定時間が経過した際、衛生洗浄装置のノズルによりボウル部に洗浄水を吐水する。そのため、水洗大便器の使用時間間隔が開いて、横引配管内に汚物が停滞した状態にて時間が経過し、汚物とともに横引配管内に停滞していた洗浄水が少なくなってしまっても、ノズルにより、ボウル部を経て横引配管内に洗浄水が供給され、横引配管内に停滞する洗浄水を補充することができる。従って、停滞していた汚物に新たに流れ込んだ汚物が乗り上げ、横引配管内が閉塞してしまうことを抑制することができる。
【発明の効果】
【００１０】
本発明の水洗大便器によれば、横引配管内にて停滞していた汚物に新たに流れ込んだ汚物が乗り上げてしまうことを抑制することが可能となる。
【図面の簡単な説明】
【００１１】
【図１】本発明の第一実施形態による水洗大便器を示す部分側面断面図。
【図２】本発明の第一実施形態における水洗大便器の制御的な構成を示すブロック図。
【図３】本発明の第一実施形態における水洗大便器の動作を示すフローチャート。
【図４】本発明の第一実施形態の変形例による水洗大便器を示す部分側面断面図。
【発明を実施するための形態】
【００１２】
以下、図面を参照して本発明の第一実施形態による水洗大便器について説明する。
まず、図１により本発明の第一実施形態による水洗大便器の構成について説明する。図１は本発明の第一実施形態による水洗大便器を示す部分側面断面図である。
図１に示すように、本発明の一実施形態に係る水洗大便器１は、サイホン作用により汚物を押し流す、いわゆる、サイホン式の水洗大便器であり、この水洗大便器１は、床面Ｆに載置される陶器製の便器本体２（便器）を備え、この便器本体２の上部の前方側にはボウル部４が形成され、便器本体２の中央後方側の下方にはボウル部４と連通する排水トラップ管路８（排水路）が、それぞれ形成されている。
【００１３】
本実施形態における水洗大便器１は、洗浄水源Ｓから電磁弁である給水弁５を介して供給された洗浄水を貯水する貯水タンク１０（タンク部）を備える。貯水タンク１０内には電磁弁である排水弁１５が設けられ、使用者の操作レバー１１の操作により、排水弁１５が開いて便器本体２の吐水部２０に洗浄水が供給されるようになっている。
また、貯水タンク１０は、その内部の水位が止水水位より上昇した場合に排水弁１５を開閉せずにボウル部４へ洗浄水を排水するオーバーフロー手段７を有する。
なお、本実施形態においては、操作レバー１１への操作により吐水部２０に洗浄水が供給されるが、本発明はこのような形態に限定されるものではなく、例えば、リモコンのスイッチへの操作や、人体検知センサによる使用者の検知等の他の使用者の洗浄動作により吐水部へ洗浄水が供給されてもよい。
【００１４】
また、水洗大便器１は、使用者による洗浄動作に基づいて吐水部２０からの吐水を制御する制御部６を備える。制御部６についての詳細は後述する。
【００１５】
ボウル部４は、ボウル形状に形成された汚物受け面１４と、ボウル部４の全周の上方外側に形成されて便器の上部縁を形成するリム部１６とを備えている。また、ボウル部４の下方には、溜水部１８が形成されている。この溜水部１８には洗浄水が毎回の洗浄後に所定量まで貯溜されて溜水面Ｗが形成されている。この溜水部１８の下方には、上述した排水トラップ管路８の入口８ａが開口し、排水トラップ管路８の下降路８ｂの下端は排水ソケット９を介して床下の横引配管１２に接続されている。
【００１６】
貯水タンク１０から供給される洗浄水は、排水弁１５を経て、吐水口２０からリム部１６と汚物受け面１４との間の面上且つリム部１６の内周壁面上に便器前方方向に吐水されて旋回流が形成され、この旋回流がリム部１６の内周壁面から汚物受け面１４上を溜水部１８の方向に旋回しながら流下する下降流が形成されるようになっている。
【００１７】
次に、図２を参照して本発明の第一実施形態における水洗大便器の制御部の機能的な構成について説明する。図２は本発明の第一実施形態における水洗大便器の制御的な構成を示すブロック図である。
制御部６は、時刻を計時する計時手段６２と、メモリ６４（記憶手段）とを有し、操作レバー１１や貯水タンク１０内に設けられた水位センサ（図示せず）から出力される信号を受け取って所定の情報処理を行い、その情報処理の結果実行する制御に応じた制御信号を給水弁１１、排水弁１５に出力する。その結果、制御部６は、洗浄動作検知手段、時刻比較手段、洗浄工程実施手段、洗浄水量判断手段として機能する。このように構成された制御部６は、水洗大便器１の使用状況の特性や使用者の特性に合わせて様々な制御を行うことが可能になる。
【００１８】
制御部６は、使用者による操作レバー１１への操作を検知する洗浄動作検知手段と、洗浄動作検知手段が操作レバー１１への操作を検知した時刻と所定時間帯とを比較する時刻比較手段と、洗浄動作検知手段が操作レバー１１への操作を検知した時刻に基づき、メモリ６４に記憶された前回の操作レバー１１への操作を検知した時刻からの経過時間と所定間隔とを比較する間隔比較手段と、を有する。
さらに、制御部６は、吐水部２０から洗浄水を吐水させて、汚物受け面１４を洗浄し汚物を排水トラップ管路８に向けて流すための第一洗浄、及び、この第一洗浄に続き、汚物に後続して洗浄水を排水トラップ管路８に向けて流す第二洗浄を実施する洗浄工程実施手段を有する。
また、制御部６は、時刻比較手段の比較結果に基づいて、洗浄動作検知手段が操作レバー１１への操作を検知した時刻が所定時間帯内である場合、第二洗浄の洗浄水量を上昇させる時間帯洗浄水量判断手段と、間隔比較手段の比較結果に基づいて、前回の操作レバー１１への操作を検知した時刻からの経過時間が所定間隔を越えていた場合、第一洗浄の洗浄水量を上昇させる経過時間洗浄水量判断手段と、を有する。
【００１９】
次に、図３を参照して本発明の第一実施形態における水洗大便器の動作について説明する。図３は本発明の第一実施形態における水洗大便器の動作を示すフローチャートである。
図３に示すように、使用者が操作レバー１１を使用者が操作することで、便器洗浄操作が行われる（ステップＳ３０２）。便器洗浄操作が行われると、制御部６は、この時刻を時刻Ａとしてメモリ６４に記憶する（ステップＳ３０４）。
【００２０】
次に、制御部６は、排水弁１５を駆動させ、吐水部２０から洗浄水を吐水させることで洗浄工程実施手段により通常洗浄である便器洗浄ａを実施する（ステップＳ３０６）。この際、吐水部２０から洗浄水を吐水させて、汚物受け面１４を洗浄し汚物を排水トラップ管路８に向けて流すための第一洗浄の洗浄水量は２．４Ｌ（リットル）であり、第一洗浄に続き、汚物に後続して洗浄水を排水トラップ管路８に向けて流す第二洗浄の洗浄水量も同様に２．４Ｌである。
【００２１】
次に、制御部６は、メモリ６４に記憶している時刻Ａから所定時間Ｅが経過しているか否かを判断する（ステップＳ３０８）。時刻Ａから所定時間Ｅが経過している場合（ステップＳ３０８：ＹＥＳ）、排水弁１５を閉止した状態で給水弁５を開放し、貯水タンク１０内へ洗浄水を供給する。その結果、貯水タンク１０内の水位が止水水位よりも上昇し、オーバーフロー手段７により、排水弁１５を開閉することなく、ボウル部４へ洗浄水を供給する。これにより、溜水部１８に洗浄水が供給され、排水トラップ管路８から横引配管１２へと洗浄水が供給される。
これにより、横引配管１２において停滞する汚物の上流側の洗浄水を補充することができる。
なお、本実施形態においては、オーバーフロー手段７によりボウル部４へ洗浄水を供給したが、本発明はこのような形態に限定されるものではなく、他の手段により供給されてもよい。例えば、図４に示すように、制御部２２０により制御され使用者の局部を洗浄するノズル２１０を有した衛生洗浄装置２００を便器本体２に設け、オーバーフロー手段７に代えて、ノズル２１０からボウル部４へ洗浄水を吐水してもよい。この際、制御部２２０は第一実施形態における制御部６と同様の機能を備え、さらに、ノズル２１０の進退及びノズル２１０からの洗浄水の吐止水を制御するものである。また、オーバーフロー手段７及びノズル２１０の両方からボウル部４へ洗浄水を吐水してもよい。ここで、図４は本発明の第一実施形態の変形例による水洗大便器を示す部分側面断面図である。
【００２２】
また、時刻Ａから所定時間Ｅが経過していない場合に（ステップＳ３０８：ＮＯ）、使用者が操作レバー１１を使用者が操作することで、便器洗浄操作が行われる（ステップＳ３１２）と、制御部６は、この時刻を時刻Ｂとしてメモリ６４に記憶する（ステップＳ３１３）。
【００２３】
次に、制御部６は、時刻比較手段により、時刻Ｂが所定時間帯Ｃ内であるか否かを判断する（ステップＳ３１４）。この所定時間帯Ｃは午前中であり、例えば午前８時〜１２時である。時刻Ｂが所定時間帯Ｃ内である場合（ステップＳ３１４：ＹＥＳ）、制御部６は、洗浄工程実施手段により便器洗浄ｂを実施する（ステップＳ３１６）。この際、制御部６は、時間帯洗浄水量判断手段により、通常洗浄よりも第二洗浄の洗浄水量を上昇させる。その結果、吐水部２０から洗浄水を吐水させて、汚物受け面１４を洗浄し汚物をサイホン作用により排水トラップ管路８に向けて流すための第一洗浄の洗浄水量は２．４Ｌであり、第一洗浄に続き、汚物に後続して洗浄水を排水トラップ管路８に向けて流す第二洗浄の洗浄水量は３．６Ｌである。
これにより、横引配管１２内において汚物をより搬送しやすくすることができる。
なお、本発明においては、所定時間帯Ｃは、水洗大便器１の使用頻度等の使用状況から制御部６により変更されるものとしてもよい。
【００２４】
次に、時刻Ｂが所定時間帯Ｃ内でない場合（ステップＳ３１４：ＮＯ）、制御部６は、時刻比較手段により、時刻Ｂが所定時間帯Ｄ内であるか否かを判断する（ステップＳ３１８）。この所定時間帯Ｄは夜間であり、例えば午後１１時〜午前１時である。時刻Ｂが所定時間帯Ｄ内である場合（ステップＳ３１８：ＹＥＳ）、制御部６は、洗浄工程実施手段により便器洗浄ｃを実施する（ステップＳ３２０）。この際、制御部６は、通常洗浄よりも第一洗浄及び第二洗浄の洗浄水量を上昇させる。その結果、吐水部２０から洗浄水を吐水させて、汚物受け面１４を洗浄し汚物を排水トラップ管路８に向けて流すための第一洗浄の洗浄水量は４．８Ｌであり、第一洗浄に続き、汚物に後続して洗浄水を排水トラップ管路８に向けて流す第二洗浄の洗浄水量も同様に４．８Ｌである。
これにより、横枝配管１２内において汚物が停滞することを抑制することができる。
なお、本発明においては、所定時間帯Ｄは、水洗大便器１の使用頻度等の使用状況から制御部６により変更されるものとしてもよい。
【００２５】
時刻Ｂが所定時間帯Ｄ内でない場合（ステップＳ３１８：ＮＯ）、制御部６は、間隔比較手段により、時刻Ａから時刻Ｂの経過時間である経過時間Ｘが、第一所定間隔Ｅを越えているか否かを判断する（ステップＳ３２２）。この第一所定間隔Ｅは、横引配管１２において停滞する汚物の上流側の洗浄水が無くならない時間間隔であり、例えば１時間である。
【００２６】
次に、経過時間Ｘが、第一所定間隔Ｅを越えている場合（ステップＳ３２２：ＹＥＳ）、制御部６は、経過時間Ｘが第二所定間隔Ｆを越えているか否かを判断する（ステップＳ３２３）。この第二所定間隔Ｆは、横引配管１２において停滞する汚物が横引配管１２の内壁に密着する時間であり、例えば６時間である。
【００２７】
経過時間Ｘが第二所定間隔Ｆを越えている場合（ステップＳ３２３：ＹＥＳ）、制御部６は、洗浄工程実施手段により便器洗浄ｃを実施する（ステップＳ３２４）。この際、制御部６は、第一洗浄及び第二洗浄の洗浄水量を上昇させる。その結果、吐水部２０から洗浄水を吐水させて、汚物受け面１４を洗浄し汚物を排水トラップ管路８に向けて流すための第一洗浄の洗浄水量は４．８Ｌであり、第一洗浄に続き、汚物に後続して洗浄水を排水トラップ管路８に向けて流す第二洗浄の洗浄水量も同様に４．８Ｌである。
【００２８】
これにより、横枝配管１２内において汚物が停滞することを抑制することができる。
経過時間Ｘが第二所定間隔Ｆを越えていない場合（ステップＳ３２３：ＮＯ）、制御部６は、洗浄工程実施手段により便器洗浄ｄを実施する（ステップＳ３２６）。この際、制御部６は、経過時間洗浄水量判断手段により、通常洗浄よりも第一洗浄の洗浄水量を上昇させる。その結果、吐水部２０から洗浄水を吐水させて、汚物受け面１４を洗浄し汚物を排水トラップ管路８に向けて流すための第一洗浄の洗浄水量は３．６Ｌであり、第一洗浄に続き、汚物に後続して洗浄水を排水トラップ管路８に向けて流す第二洗浄の洗浄水量は２．４Ｌである。
これにより、横引配管１２内にて停滞していた汚物に対して今回排出した汚物が乗り上げて横引配管１２が閉塞してしまうことを抑制することができる。
【００２９】
次に、経過時間Ｘが、第一所定間隔Ｅを越えていない場合（ステップＳ３２２：ＮＯ）、制御部６は、洗浄工程実施手段により便器洗浄ａを実施する（ステップＳ３２８）。この際、吐水部２０から洗浄水を吐水させて、汚物受け面１４を洗浄し汚物を排水トラップ管路８に向けて流すための第一洗浄の洗浄水量は２．４Ｌであり、第一洗浄に続き、汚物に後続して洗浄水を排水トラップ管路８に向けて流す第二洗浄の洗浄水量も同様に２．４Ｌである。
【００３０】
上述した本発明の第一実施形態による水洗大便器１によれば、制御部６は、便器洗浄後に所定時間が経過した際、給水弁５により貯水タンク１０内へ洗浄水を供給し、オーバーフロー手段７によりボウル部４に洗浄水を吐水する。そのため、水洗大便器１の使用時間間隔が開いて、横引配管１２内に汚物が停滞した状態にて時間が経過し、汚物とともに横引配管１２内に停滞していた洗浄水が少なくなってしまっても、オーバーフロー手段７により、ボウル部４を経て横引配管１２内に洗浄水が供給され、横引配管１２内に停滞する洗浄水を補充することができる。従って、停滞していた汚物に新たに流れ込んだ汚物が乗り上げ、横引配管１２内が閉塞してしまうことを抑制することができる。また、通常、タンク部からボウル部へと洗浄水を供給する水洗大便器はオーバーフロー手段を備えているものであり、便器洗浄後に所定時間が経過した際にボウル部に洗浄水を吐水するために、別途、ボウル部に洗浄水を吐水する手段を必要とせず、容易に便器洗浄後に所定時間が経過した際にボウル部に洗浄水を吐水することができる。さらに、例えば、便器洗浄後に所定時間が経過した際にタンク部の排水弁を介して洗浄水をボウル部へ供給する場合に比べ、比較的少量の洗浄水がボウル部へ吐水されるため、操作レバーを操作していない状態でボウル部へ洗浄水が吐水される違和感を使用者へ与えにくい。
【００３１】
また、図４に示す上述した本発明の第一実施形態の変形例についても同様であり、水洗大便器１００の使用時間間隔が開いて、横引配管１２内に汚物が停滞した状態にて時間が経過し、汚物とともに横引配管１２内に停滞していた洗浄水が少なくなってしまっても、ノズル２１０により、ボウル部４を経て横引配管１２内に洗浄水が供給され、横引配管１２内に停滞する洗浄水を補充することができる。従って、停滞していた汚物に新たに流れ込んだ汚物が乗り上げ、横引配管１２内が閉塞してしまうことを抑制することができる。
【００３２】
なお、上述した本発明の第一実施形態による水洗大便器１においては、貯水タンク１０内には電磁弁である排水弁１５が設けられているが、本発明はこのような形態に限定されるものではない。例えば、使用者の操作レバーの操作により操作レバーに接続された鎖部材が動作し、鎖部材により開閉する排水弁を設けてもよい。従って、本発明は排水弁が制御部により制御されるか否かに係らず、オーバーフロー手段を介して、便器洗浄後に所定時間が経過した際にボウル部に洗浄水を吐水することができる。また、衛生洗浄装置を備える水洗大便器において、便器洗浄後に所定時間が経過した際にボウル部に洗浄水を吐水するために、別途、ボウル部に洗浄水を吐水する手段を必要とせず、容易に便器洗浄後に所定時間が経過した際にボウル部に洗浄水を吐水することができる。
【００３３】
また、上述した本発明の第一実施形態による水洗大便器１おいては、貯水タンク１０内には電磁弁である排水弁１５が設けられ、使用者の操作レバー１１の操作により、排水弁１５が開いて便器本体２の吐水部２０に洗浄水が供給されるようになっており、吐水部２０からリム部１６と汚物受け面１４との間の面上且つリム部１６の内周壁面上に便器前方方向に吐水されて旋回流が形成されている。本発明はこのような形態に限定されるものではなく、例えば、タンク部と、便器本体の汚物受け面の下方からボウル部底部及び排水トラップ管路へ向けて洗浄水を吐水するゼット吐水部と、タンク部の下流に設けられ洗浄水を加圧してゼット吐水部に供給する加圧ポンプを備えてもよい。その際、タンク部内の水位が止水水位よりも上昇し、タンク部内のオーバーフロー手段により、加圧ポンプを動作させることなく、ゼット吐水部へ洗浄水を供給する。これにより、溜水部に洗浄水が供給され、排水トラップ管路から横引配管へと洗浄水が供給されるものである。
【符号の説明】
【００３４】
１        水洗大便器
２        便器本体（便器）
４        ボウル部
５        給水弁
６        制御部
７        オーバーフロー手段
８        排水トラップ管路（排水路）
８ａ      入口
８ｂ      下降路
９        排水ソケット
１０      貯水タンク（タンク部）
１１      操作レバー
１２      横引配管
１４      汚物受け面
１５      排水弁
１６      リム部
２０      吐水部
６２      計時手段
６４      メモリ
１００    水洗大便器
２００    衛生洗浄装置
２１０    ノズル
２２０    制御部
Ｆ        床面
Ｓ        洗浄水源
【図１】
2017048675.tif 000003
【図２】
2017048675.tif 000004
【図３】
2017048675.tif 000005
【図４】
2017048675.tif 000006